(57)【要約】      （修正有）【課題】変形破壊を避け、タワー綴合過程においてタイムリー的に垂直度を監視や調整する枢接型バックルタワー綴合の臨時施錠・垂直度微調整設備を提供する。【解決手段】枢接バックルタワーの綴合臨時施錠・垂直度微調整設備は、施錠手段と、上コーベルと、下コーベルと、ゴム押板５と、ジャッキ６と、調節パッド７とを含み、上コーベルはタワー底側ガセット１１の側板に固定され、下コーベルは予設ガセットプレート１３に取付けられ、上コーベルと下コーベルの間に上から順に、ゴム押板５、ジャッキ６および調節パッド７が設けられており、施錠手段は上コーベルと下コーベルとの間に設置され、タワー底側ガセット１１は枢軸１２によって予設ガセットプレート１３に枢接され、タワーの綴合過程中における垂直度を測定するトータルステーションと三重プリズムをさらに備え、三重プリズムはタワーの上端に設置される。【選択図】図１
0003232365.tif 000002
【実用新案登録請求の範囲】
【請求項１】
施錠手段２と、上コーベル３と、下コーベル４と、ゴム押板５と、ジャッキ６と、および
、調節パッド７とを含み、前記上コーベル３は、タワー底側ガセット１１の側板に固定さ
れており、前記下コーベル４は、予設ガセットプレート１３に取付けられており、前記上
コーベル３と下コーベル４の間に上から順次に、ゴム押板５、ジャッキ６および調節パッ
ド７が設けられており、前記施錠手段２は、上コーベル３と下コーベル４との間に設置さ
れており、タワー底側ガセット１１は枢軸１２によって予設ガセットプレート１３に枢接
されており、タワー１の綴合過程中における垂直度を測定するトータルステーション９と
三重プリズム８をさらに備えており、前記三重プリズム８はタワー１の上端に設置されて
おり、前記トータルステーション９は、一方側に設置され、測量を実行するように構成さ
れることを特徴とする枢接バックルタワーの綴合臨時施錠・垂直度微調整設備。
【請求項２】
前記上コーベル３は、上コーベル仕切り板３１と、および、上コーベル押板３２とを含み
、前記下コーベル４は、下コーベル押板４１と、および、下コーベル仕切り板４２とを含
み、前記ゴム押板５は上コーベル押板３２の下端に設置されており、前記調節パッド７は
下コーベル押板４１の上端に設置されており、前記上コーベル押板３２と下コーベル押板
４１に予設鋼筋穴が形成されており、前記施錠手段２は予設鋼筋穴によってそれぞれ上コ
ーベル押板３２と下コーベル押板４１に固定されている、ことを特徴とする請求項１に記
載の枢接バックルタワーの綴合臨時施錠・垂直度微調整設備。
【請求項３】
前記上コーベル仕切り板３１はタワー底側ガセット１１の側板にはんだ付けられ、底側ガ
セットと一体的に吊設されていることを特徴とする請求項２に記載の枢接バックルタワー
の綴合臨時施錠・垂直度微調整設備。
【請求項４】
前記施錠手段２は、仕上げ圧延ネジ鋼筋２２と、および、ナット２１とを含み、前記仕上
げ圧延ネジ鋼筋２２の上端と下端が、それぞれ鋼筋穴に貫通されるとともに、ナット２１
によってそれぞれ上コーベル押板３２と下コーベル押板４１に締合固定されている、こと
を特徴とする請求項２に記載の枢接バックルタワーの綴合臨時施錠・垂直度微調整設備。
【請求項５】
前記仕上げ圧延ネジ鋼筋２２はジャッキ６の両側に設置されている、ことを特徴とする請
求項４に記載の枢接バックルタワーの綴合臨時施錠・垂直度微調整設備。
【請求項６】
前記微調整設備はそれぞれタワー１の左右両側および前後両側に設置されている、ことを
特徴とする請求項１に記載の枢接バックルタワーの綴合臨時施錠・垂直度微調整設備。
【考案の詳細な説明】
【技術分野】
【０００１】
本考案は、橋施工の技術領域に関し、特に、枢接バックルタワーの綴合臨時施錠・垂直度
微調整設備に関する。
【背景技術】
【０００２】
中国の基礎建設事業の急速な発展に伴い、川を越え、海を越えて川を渡る大橋が雨後の竹
の子のように迅速に誕生した。鋼材のアーチ橋は積載力が高く、能力が強い、横剛性が大
きい、形が雄大で壮観で、橋が優美で流暢で、道路や川を越えて交通妨害が小さいなどの
特徴があるので、次第に大スパンブリッジの中で競争力のある構造の一つになっている。
鋼材トラス橋が既存の交通、特に深い水域が通航河川を越える時、工事の安全及び工期の
要求を保証するために、大カンチレバー施工を採用することが多く、工事の品質安全を保
証するために、臨時控除塔を設置し、鋼材トラス橋の全片持ち梁架設にアンカーを提供す
る。
【０００３】
塔の根元及び鋼材トラス橋の予備設置バックル塔のノード部が工事中に大きな曲げモーメ
ントを受けて破壊されることを防止するために、バックル塔と鋼材トラスブリッジをヒン
ジ接続することが多い。しかし、バックルタワーはセクションごとに組み立てられている
。塔の幾何学的な不変性を保証するために、塔を閉めて仮設の風ケーブルを取り付ける前
に、底節を仮ロックして固着する。風綱の設置が完了したらロック構造を解除し、ロック
タワーの体系の転換を完了する。しかし、固着がヒンジされた後、取り付け誤差、風荷荷
重などの影響により、塔の設置過程に偏りが生じ、工事に重大な安全上の潜在的な危険を
もたらし、また、鋼材材のトラス橋の綴り線形に影響を与える。しかし、パッド構造は、
嵌合中の垂直方向の正確な調整を実現することが困難であり、また、控除塔の高さの増加
に伴って、抄パッド構造に耐えるアンバランス荷重が徐々に増大し、主体トラス構造のロ
ッドを押しつぶすことが容易である。
【０００４】
上記の問題を解決するために、本実用新案は枢接バックルタワーの綴合臨時施錠・垂直度
微調整設備を提供し、特に超高臨時タワーの綴合の組立及び垂直度コントロールに適合で
ある。
【０００５】
上記の目的を実現するために、枢接バックルタワーの綴合臨時施錠・垂直度微調整設備は
、施錠手段２と、上コーベル３と、下コーベル４と、ゴム押板５と、ジャッキ６と、およ
び、調節パッド７とを含み、前記上コーベル３は、タワー底側ガセット１１の側板に固定
されており、前記下コーベル４は、予設ガセットプレート１３に取付けられており、前記
上コーベル３と下コーベル４の間に上から順次に、ゴム押板５、ジャッキ６および調節パ
ッド７が設けられており、前記施錠手段２は、上コーベル３と下コーベル４との間に設置
されており、タワー底側ガセット１１は枢軸１２によって予設ガセットプレート１３に枢
接されており、タワー１の綴合過程中における垂直度を測定するトータルステーション９
と三重プリズム８をさらに備えており、前記三重プリズム８はタワー１の上端に設置され
ており、前記トータルステーション９は、一方側に設置され、測量を実行するように構成
される。
【０００６】
好ましくは、前記上コーベル３は、上コーベル仕切り板３１と、および、上コーベル押板
３２とを含み、前記下コーベル４は、下コーベル押板４１と、および、下コーベル仕切り
板４２とを含み、前記ゴム押板５は上コーベル押板３２の下端に設置されており、前記調
節パッド７は下コーベル押板４１の上端に設置されており、前記上コーベル押板３２と下
コーベル押板４１に予設鋼筋穴が形成されており、前記施錠手段２は予設鋼筋穴によって
それぞれ上コーベル押板３２と下コーベル押板４１に固定されている。
【０００７】
好ましくは、前記上コーベル仕切り板３１はタワー底側ガセット１１の側板にはんだ付け
られ、底側ガセットと一体的に吊設されている。
【０００８】
好ましくは、前記施錠手段２は、仕上げ圧延ネジ鋼筋２２と、および、ナット２１とを含
み、前記仕上げ圧延ネジ鋼筋２２の上端と下端が、それぞれ鋼筋穴に貫通されるとともに
、ナット２１によってそれぞれ上コーベル押板３２と下コーベル押板４１に締合固定され
ている。
【０００９】
好ましくは、前記仕上げ圧延ネジ鋼筋２２はジャッキ６の両側に設置されている。
【００１０】
好ましくは、前記微調整設備はそれぞれタワー１の左右両側および前後両側に設置されて
いる。
【００１１】
本実用新案の有益な効果は、以下の通りである。本考案にかかる枢接型バックルタワー綴
合の臨時施錠・垂直度微調整設備は、タワー底側ガセットおよびメイントラス軸材のウェ
ブにコーベルをはんだ付け、またジャッキ押し調整手段を設置し、さらに仕上げ圧延ネジ
粗鋼筋によってアンカ固定施錠することによって、底側ガセットおよびメイントラス軸材
のウェブの受力を保証することができる。これによって、リフトパッド構造を利用する従
来の場合におけるメイントラス軸材の押板の受力による変形破壊を避けるとともに、タワ
ー綴合過程においてタイムリー的に垂直度を監視や調整することもできる。このように構
成されると、タワーの綴合の効果を確実に保証するようにできる。
【図面の簡単な説明】
【００１２】
【図１】本実施形態の正面図である。
【図２】本実施形態の平面図１−１である。
【図３】実施形態の側面図２−２である。
【図４】本実施形態の制御図である。
【００１３】
[符号の説明]
１      バックルタワー 
１１    タワー底側ガセット 
１２    枢軸 
１３    予設ガセットプレート 
２      施錠手段 
２１    ナット 
２２    仕上げ圧延ネジ鋼筋 
３      上コーベル 
３１    上コーベル仕切り板 
３２    上コーベル押板 
４      下コーベル 
４１    下コーベル押板 
４２    下コーベル仕切り板 
５      ゴム押板 
６      ジャッキ 
７      調節パッド 
８      三重プリズム 
９      トータルステーション
【考案を実施するための形態】
【００１４】
以下、本実用新案については、具体的な実施の形態により図面に関連してより詳細に説明
する。本出願は、本実施形態に記載された実施形態に限定されない様々な形態で実施され
てもよい。以下の具体的な実施形態を提供する目的は、上、下、左、右などの方位を示す
単語は、図示された構造に対して対応する図面内の位置であり、本明細書の開示内容をよ
り明確に理解するためである。
【００１５】
図1〜4に示されるように、枢接バックルタワーの綴合臨時施錠・垂直度微調整設備は、施
錠手段2と、上コーベル3と、下コーベル4と、ゴム押板5と、ジャッキ6と、および、調節
パッド7とを含む。前記上コーベル3は、タワー底側ガセット11の側板に固定されている。
前記下コーベル4は、予設ガセットプレート13に取付けられている。前記上コーベル3と下
コーベル4の間に上から順次に、ゴム押板5、ジャッキ6および調節パッド7が設けられてい
る。前記施錠手段2は、上コーベル3と下コーベル4との間に設置されている。タワー底側
ガセット11は枢軸12によって予設ガセットプレート13に枢接されている。タワー1の綴合
過程中における垂直度を測定するトータルステーション9と三重プリズム8をさらに備えて
いる。前記三重プリズム8はタワー1の上端に設置されている。前記トータルステーション
9は、一方側に設置され、測量を実行するように構成される。
【００１６】
前記上コーベル3は、上コーベル仕切り板31と、および、上コーベル押板32とを含む。前
記下コーベル4は、下コーベル押板41と、および、下コーベル仕切り板42とを含む。前記
ゴム押板5は上コーベル押板32の下端に設置されている。前記調節パッド7は下コーベル押
板41の上端に設置されている。前記上コーベル押板32と下コーベル押板41に予設鋼筋穴が
形成されている。前記施錠手段2は予設鋼筋穴によってそれぞれ上コーベル押板32と下コ
ーベル押板41に固定されている。ここでは、前記上コーベル仕切り板31はタワー底側ガセ
ット11の側板にはんだ付けられ、底側ガセットと一体的に吊設されている。
【００１７】
前記施錠手段2は、仕上げ圧延ネジ鋼筋22と、および、ナット21とを含む。前記仕上げ圧
延ネジ鋼筋22の上端と下端が、それぞれ鋼筋穴に貫通されるとともに、ナット21によって
それぞれ上コーベル押板32と下コーベル押板41に締合固定されている。ここでは、前記仕
上げ圧延ネジ鋼筋22はジャッキ6の両側に設置されている。また、前記微調整設備はそれ
ぞれタワー1の左右両側および前後両側に設置されている。
【００１８】
タワー1のセグメント綴合過程では、タワー底側ガセット11を枢軸12によって鋼トラス橋
のバーコードの予設ガセットプレート13に枢接する。タワー配置用のガセットの上端に三
重プリズム8を設置する。立吊して、合わせて、接続する。トータルステーション9によっ
てタワー1の綴合過程中における垂直度を測定しながら、前記調節手段によってタワー1を
調整する。垂直度の精度を保証して、前記施錠手段2によってタワー1に臨時施錠を付与す
る。上、下押しコーベルは、押板および複数枚の仕切り板によりなるもので、全体的剛性
を保証することができる。
【００１９】
タワー底側ガセット11を組み立てる前に、上コーベル3は、正確的位置が測定されると、
底側ガセット１１の側板にはんだ付けられ、そして底側ガセットとともに吊設される。下
コーベル4は、鋼トラス橋のタワー1の支持軸材に対応する予設ガセットプレート13に設置
される。ここでは、上、下コーベルの間に、ジャッキ6、調節パッド7およびゴム押板5が
設置される。調節パッド7によってジャッキ6の高度を調整する。上コーベル押板32にゴム
押板5が予め取り付けられる。これによってコーベルの均一的に受力されることを保証す
る。また、上、下コーベル押板の対応位置に予設鋼筋穴が形成される。予設穴の直径が鋼
筋の外径5mmより大径である。タワー底側ガセット11の組立後且つ垂直度調整後に、予設
穴に仕上げ圧延ネジ鋼筋22を貫通して、さらにナット21によって締合固定する。タワー底
側ガセット11に臨時施錠を付与する。最後に、タワー1の各セグメントの綴合終了後に、
セグメント上部に設置される三重プリズム8およびトータルステーション9によってタワー
1の垂直度を測定や制御する。タワー1が一方側に傾斜していると、同一側にある両仕上げ
圧延ネジ鋼筋22の上押板における上ボルトを緩めばよく、また対応する他方側の上押板の
下ナットを緩めばよい。なお、一方側のジャッキ6において同時に少しずつ押すように動
作する。その過程ではタワー1の垂直度を少しずつ監視および制御するようにできる。そ
の所望値になると、緩めた両側のナット21を再び締合固定すればよい。このようにしてタ
ワー1垂直度の調整が完成する。
【００２０】
さらに説明する必要があるのは、特に明確な規定と限定がない限り、用語「接続」「固定
」などの用語は広義的に理解されるべきであり、当業者にとっては、上記の用語の本実用
新案における具体的な意味は、具体的な状況に応じて理解され得る。
【００２１】
以上の実施形態は、本考案の好適な実施形態についてのみ説明する。本考案の範囲を限定
するものではない。本実用新案の設計精神から逸脱しないことを前提に、当業者が本実用
新案の技術案に対して作り出した様々な変形と改良は、本実用新案の請求の範囲に定めら
れた保護範囲内にあるものとする。
【図１】
0003232365.tif 000003
【図２】
0003232365.tif 000004
【図３】
0003232365.tif 000005
【図４】
0003232365.tif 000006